(57)【要約】【課題】  従来のライティング架台では限られた空間において、目的部位を照明するのに架台部が邪魔し、照明できないことがある。  また、目的部位の照明が可能となっても架台部が大きく空間を占有するほか、美観を損ねる。目的照明部位に対し、架台を移動する問題がある。【解決手段】  本発明に係るライティング架台ではフレキシブルチューブを固定パイプに対して伸縮することでその目的を達した。【選択図】図１
2010135275.tif 000002
【特許請求の範囲】
【請求項１】
図１のＡに示す照明部ｃを配するフレキシブルチューブａが固定パイプｂに対して上下に移動することを特徴とし、図１Ｂのようにフレキシブルチューブａが固定パイプｂに収納できることを特徴とするライティング架台。
【請求項２】
請求項１に記載のライティング架台において、フレキシブルチューブａと固定パイプｂが任意の位置で固定できることを特徴とするライティング架台。
【請求項３】
請求項２に記載のライティング架台において、図２Ａに記載されるフレキシブルチューブａ３カシメねじキャップｈとフレキシブルチューブａ３固定部位ｉを配置し、図２Ｂ様に組み立て、カシメねじキャップｈをカシメ時に、フレキシブルチューブａ３が固定パイプｂに対し固定できることを特徴とするライティング架台。
【請求項４】
請求項１に記載のライティング架台において、図２Ｂに示す螺旋状配線ｎを図の位置に設け、フレキシブルチューブａ１が上下（伸縮）に移動したときに、同じく螺旋状配線ｎが伸縮し、照明部ｃに給電が可能となることを特徴とするライティング架台。
【請求項５】
請求項１に記載のライティング架台において、図２Ｂに示す配線類（Ｌ２，ｎ，ｍ）に関して、フレキシブルチューブａ３を固定パイプｂ１に収納時、螺旋状配線ｎを圧迫しない構造の固定パイプｂ１内側に止めパイプｊを配することを特徴とするライティング架台。
【請求項６】
請求項１に記載のライティング架台において、固定パイプｂに吸盤や金具、ジグを装備し、固定パイプｂを直接天井や壁、ガラスや家具、任意に設けた網状の固定部に取り付けが可能なことを特徴とするライティング架台。
【請求項７】
請求項１に記載のライティング架台において、植物育成もしくは観賞用に使用されることを特徴とするライティング架台。
【請求項８】
請求項７に記載のライティング架台において、図１１に示すアンカｑ８１を用い、植物を育成できる苗床たとえば土壌などに固定し、請求項１に記載のライティング架台を装着することを特徴とするライティング架台。
【発明の詳細な説明】
【技術分野】
【０００１】  本発明は照明器具の架台部に関する。
【背景技術】
【０００２】  従来のライティング架台においてフレキシブルチューブを利用した物がある。【０００３】  また、パイプが伸び縮みする物やアーム上パイプで照明部位を変更できる物がある。
【発明の開示】
【発明が解決しようとする課題】
【０００４】  従来のライティング架台では、限られた空間において、架台部が邪魔し、目的部位を照明できないことがある。【０００５】  また、目的部の照明が可能となっても架台部が大きく空間を占有するほか、美観を損なう。また、目的照明部位に対し、架台を移動する問題がある。【０００６】  パイプ伸縮型では高さ調整は可能であるが、その目的箇所の照明には現状の上記０００４，０００５に記載した問題点が発生する。
【課題を解決するための手段】
【０００７】  本発明では空間と美観を重視して、目的照明部を十分に照明できるライティング架台を提供することを目的とする。【０００８】  上記目的を達成するために、本発明に係るライティング架台ではフレキシブルチューブａを固定パイプｂに対して伸縮することでその目的を達した。
【発明の効果】
【０００９】  上記のように構成することにより空間ロスを減少し、美観の良い照明器具を提供することとなる。
【発明を実施するための最良の形態】
【００１０】  本発明の実施例を図面に基づき説明する。
図１は本発明に係る実施例を示す外観図である。【００１１】  照明部ｃにフレキシブルチューブａを配し、そのフレキシブルチューブａが固定パイプｂに対し、上下（伸縮）移動が可能となる構造である。【００１２】  図１Ａに示すａ１に記載されるフレキシブルチューブは固定パイプ内ｂに配置され、フレキシブルチューブａを直線状にすれば、矢印ｘ方向に自由自在に移動が可能である。【００１３】  図１Ｂに示す外観図によれば、図１Ａフレキシブルチューブａを直線状に変形させ、矢印ｘ１方向に移動し、固定パイプｂに収納（ａ１）した状態で、輸送や販売時に体積を小さくすることをも達成した。【００１４】  フレキシブルチューブａは自由自在に任意の力により変形可能な形状のもので、照明部ｃの重量に耐久性があれば、材料として金属製、樹脂製のものが使用可能で、その断面も円形、三角形、四角形、六角形など、その目的を果たす物であればいかなる材質形状の物も使用できる。【００１５】  また、固定パイプｂ部も同様で、フレキシブルチューブａを収納できる上下（伸縮）移動（ｘ）できるもので、その目的を果たす物であればいかなる材質形状の物も使用できる。【００１６】  図２は本発明に係る、図１に示すフレキシブルチューブａと固定パイプｂを固定する一実施例を示す断面図を含む外観図である。【００１７】  図２Ａはその分解図で、ａ３はフレキシブルチューブ、ｂ１は固定パイプの断面図を示す。【００１８】  本発明図２Ａによれば、固定部位ｉを固定パイプｂ１に挿入固定しフレキシブルチューブａ３をカシメねじキャップｈに貫通させ、固定部位ｉを介し、固定パイプｂ１に挿入することを示す。その完成図が図２Ｂに示すものである。【００１９】  カシメキャップｈにはオスねじｈ１が配置され、固定部位ｉのメスねじｉ１に対応し、カシメキャップｈをカシメれば、固定部先端ｉ３がフレキシブルチューブａ３をカシメキャップｈの円錐状構造により内側に圧縮され固定する。【００２０】  図３は本発明に係る、図１に示すフレキシブルチューブａと固定パイプｂを固定する一実施例を示す。【００２１】  固定パイプｂ１表面に滑り止め固定ねじｐを配することにより、図３Ｂのようにフレキシブルチューブａ３と固定パイプｂ１を固定することができる。【００２２】  図４は本発明に係る、図１に示すフレキシブルチューブａと固定パイプｂを固定する一実施例を示す。【００２３】  図４に記載の断面図は図２Ａに示す、固定部位ｉを固定パイプｂ１に固定すると同様に固定パイプｂ１に固定して使用される。【００２４】  図４Ａに記載のカシメキャップｈｚを図４Ｂ様に回転移動すれば、カシメ棒ｉｚ５がカシメキャップ固定部位ｈｚ３との接触部を支点に、カシメ板ｉｚ３が移動し、フレキシブルチューブｂ３と、図には記載されていないが固定パイプｂとを図４Ｂに示すよう固定する。【００２５】  図２Ｂに示す螺旋状配線ｎはフレキシブルチューブａ３が図１矢印ｘ状に上下移動に伴い伸縮するため螺旋状となっている。【００２６】  また、フレキシブルチューブａ３が収納されたときに螺旋状配線ｎを圧迫し、断線や通電不良の原因を避けるため、止めパイプｊを配し、フレキシブルチューブａ３が螺旋状配線ｎを圧迫しない構造となっている���【００２７】  図２Ｂによれば、その螺旋状配線ｎは給電キャップｋの端子ｋ１に接続されコネクタＬの給電端子Ｌ１より給電を受ける構造となっている。【００２８】  コネクタＬ側給電は低電圧低電流の電源に限られ、コネクタＬと端子ｋの接続が可能で、高電圧の場合は安全上のため、これらを一体型として、取り外しが不可能のように設計することも可能である。【００２９】  また、図２によれば、給電コネクタＬは固定パイプｂ１に対し直線状に配置されているが、螺旋状電線の圧迫が認められず、その機能を果たすものであれば、固定パイプＬに対し、直角状等の任意の角度を待たせ、図２に示す下側へ、もしくは固定パイプｂ１側面上へも配置することができる。【００３０】  図５は本発明に係るフレキシブルチューブａ３が固定パイプｂ１より抜け落ちないための構造の一実施例である。【００３１】  この図によれば、抜け防止留め具ａｙをフレキシブルチューブａ３に配し、固定パイプｂ１内側に配された抜け止め具ｂｙにて、フレキシブルチューブａ３の抜け落ちを防止することが出来る。【００３２】  この構造はその目的を達するものであれば、いかような材料、形状でも構成できる。【００３３】  図６は本発明に係る水槽使用での実施例を示す図である。【００３４】  水槽Ｗに水槽装着ジグｑを配し、水槽Ｗに引っかけ、動かぬよう固定ねじｑ１と固定吸盤ｑ２にて水槽Ｗに固定した。【００３５】  この図６によれば、水槽固定ジグｑに本発明である外形１０ｍｍ固定パイプｂを固定し、照明部に高輝度ＬＥＤを配置した照明傘（３０ｇ）ｂを配して、水槽を照明した。このときのフレキシブルチューブａ外形は６ｍｍのものを使用した。【００３６】  従来の水槽用照明器具では、図６に示す照明部ｃが上下左右に若干移動可能なものの、照明部ｃ１に移動させるためには水槽固定ジグｑを別の任意の位置に変更することにより、その目的を達することになる。【００３７】  しかし、本発明においては照明部ｃ１に移動させるために、いとも簡単に収納されているフレキシブルチューブａ１を上方向（伸長）に移動し、照明部ｃ１の位置に移動が可能である。【００３８】  しかし、従来の照明架台において、ｃ１位置で照明可能なものをｃ位置に照明部ｃ１を移動させるためには、同じく水槽固定ジグｑを移動する、もしくは、フレキシブルチューブａを不自然な形に変形させることにより、美観を損ねることとなる。【００３９】  このことは煩わしい移動や、移動により水槽外観を損ねることなく、その照明部ｃの位置を決めることが出来る。【００４０】  図７は本発明に係るスタンド型の実施例を示す図である。【００４１】  この図によれば、架台座ｑ１を設けその上に２段伸縮固定パイプｂ，ｂｕを配したものである。【００４２】  これらの実施例では、固定パイプｂの長さとフレキシブルチューブａの長さを任意に決めることができる。【００４３】  照明部ｃ重量により固定パイプｂとフレキシブルチューブａの直径や長さを決めることが出来る。また、フレキシブルチューブａは照明部ｃに比較的重量の大きいものを配する場合、変形に要する力が大きいものを、比較的重量の小さいものにはその力が小さいものを使用することが良い。【００４４】  図８は本発明に係る実���例を示す屋内天井や壁に本発明を装着した実施例である。【００４５】  この図によれば、天井や壁に固定する固定部ジグｑ２，ｑ３を設け固定パイプｂを任意の位置に固定することが出来る。【００４６】  この図によれば固定ジグが室内から見えない位置に配備されているが、天井や壁に空間がない場合や、取り付け困難な場合は、固定ジグｑ２，ｑ３が室内から見える位置に配置することも出来る。【００４７】  図９は本発明に係る鏡の表面に、本発明を装着した実施例を示す。【００４８】  本発明によれば、固定パイプｂに吸盤ｑ２を設けた固定ジグｑ４を配し、鏡Ｓ１に吸盤ｑ２にて取り付けた図である。【００４９】  このときの照明部ｃは１５個の高輝度ＬＥＤを配し、製品重量が２２３ｇと軽量化で、直径３０ｍｍの固定吸盤ｑ２  ２個使用において脱落することがない。【００５０】  この図によれば、給電はコネクタＬよりのＤＣ電源で行われている。【００５１】  図１０は本発明に係る空間もしくは壁等に配された、網状の固定部Ｓ３に本発明を取り付けた実施例を示す。【００５２】  図９に示す本発明の吸盤ｑ２の位置に、網状固定部Ｓ３取り付けフックｑ７を配し、図１０Ｂに示す網状固定部Ｓ３に、図１０Ａに示すように取り付けが可能であることを示す。【００５３】  図１０Ａに示す網状固定部Ｓ３は、図１０Ｂの網状固定部Ｓ３の側面断面図で、図のように取り付けが可能であることを示す。【００５４】  図８，図９，図１０に示す本発明図によれば、固定ジグｑ２やｑ３様に直接取り付ける、もしくは吸盤ｑ２や取り付けフックｑ７を設けているが、図６に示す水槽固定ジグｑ様の取り付けジグを設け、固定することも可能である。【００５５】  これらの取り付け方法は、その目的を達する方法であれば、いかような材料を用い、いかような方法でも取り付けることができる。【００５６】  図１１は本発明に係る植物育成または、鑑賞に関する一実施例を示す。【００５７】  植木鉢Ｗ２に土壌Ｙを配し、植物Ｔを植え照明部ｃにて照明した。【００５８】  本図によればアンカｑ８を土壌Ｙに固定し、そのアンカｑ８に固定パイプｂ５を装着したものである。【００５９】  この図によれば、アンカｑ８の内部空間ｑ８１に固定パイプｂ５が装着可能な空間があることを示す。【００６０】  このアンカｑ８の長さや太さ、材質等は固定パイプｂ５を装着し、照明を問題なく行える、すなわちその目的を達するものであれば、いかような構造のものでも使用可能である。【００６１】  本実施例によれば、植木鉢Ｗ２を使用し、土壌Ｙを配しているが、植木鉢でなくとも植物が育成できる苗床であれば、いかなるところにでも配することができる。【００６２】  この発明によれば、植物が初期小さな場合はフレキシブルパイプａを固定パイプｂ５に収納し土壌に対し、低い高さで照明を行い、成長に従い、フレキシブルパイプａを徐々に伸長することにより、任意の高さのより照明が可能である。【００６３】  また、従来の技術では上記のように調整が可能なものがあるが、本発明の利点は図６に示す照明部の位置を前後にも配置可能である点である。【００６４】  たとえば、植物が当初は小さく照明は真上からの照明で良い。しかし、植物には屈光性という性質がある。徐々に大き���なる場合この植物の性質を利用し、人が見てきれいに屈光する位置に、たとえば真上ではなく少し全面に照明部ｃを配し、屈光させることにより、鑑賞効果も高めることができる。【００６５】  発明者らは、図１１に示す装置にて、照明部ｃに高輝度ＬＥＤ赤色、黄色、青色光を配したも（合計２Ｗ）を使用し、植物育成を試みた。【００６６】  この結果、植物は生長し、その照射角度に向かい、葉を広げることを確認した。このことは植物を成長させ、なおかつ、架台を動かすことなく、任意の位置で従来に比し、よりよく植物を美しく観賞できることを証明した。【００６７】  図１２に示す構造図は、図１１に配置した固定パイプｂ５の構造一実施例を示すものである。【００６８】  この図によれば、螺旋状配線ｎから再度空間ｕ１を通す配線ｕを給電キャップｋに配線接続したものである。また、固定パイプ栓Ｒ１を下方に配し、固定パイプ配線空間栓をＲ２に配したものである。【００６９】  本発明図１１のように、アンカｑ８に固定パイプｂを装着するにおいては、固定パイプｂ５様構造に外部給電線を上方に配置する必要がある。【００７０】  なぜなら、アンカｑと固定パイプｂにより配線Ｌ２が圧迫されないことと、植物の場合、苗床には水分が多く存在し、それによる配線の劣化や通電不良を防ぐためのものである。【００７１】  本図１２においての固定パイプｂ５の一実施例のみを掲げているが、その目的を達成するものであれば、いかなる材質、形態のものでも使用は可能である。【００７２】  以上のように本発明に係るライティング架台では、任意の被照明物に対し、架台を移動することなく照明可能で、空間を最大限に生かすことの可能な、外観の好ましい照明器具を提供することに成功した。
【図面の簡単な説明】
【００７３】
【図１】  本発明に係る架台の一実施形態を示す図である。
【図２】  本発明に係る固定方法の一実施形態を示す構造図である。
【図３】  本発明に係る固定方法の一実施形態を示す構造図である。
【図４】  本発明に係る固定方法の一実施形態を示す断面構造図である。
【図５】  本発明に係る抜け止め防止の一実施形態を示す構造図である。
【図６】  本発明に係る水槽装着の一実施形態を示す図である。
【図７】  本発明に係るスタンド型の一実施形態を示す図である。
【図８】  本発明に係る天井や壁に装着した時の一実施形態を示す図である。
【図９】  本発明に係るガラス様部分に装着した時の一実施形態を示す図である。
【図１０】  本発明に係る網状部分に装着した時の一実施形態を示す図である。
【図１１】  本発明に係る植物育成及び鑑賞の一実施形態を示す図である。
【図１２】  本発明に係る固定パイプの一実施形態を示す図である。
【符号の説明】
【００７４】ａ      フレキシブルチューブ
ｂ      固定パイプ
ｃ      照明部
ｈ      カシメキャップ
Ｗ      水槽
Ｓ      天井や壁
【図１】
2010135275.tif 000003
【図２】
2010135275.tif 000004
【図３】
2010135275.tif 000005
【図４】
2010135275.tif 000006
【図５】
2010135275.tif 000007
【図６】
2010135275.tif 000008
【図７】
2010135275.tif 000009
【図８】
2010135275.tif 000010
【図９】
2010135275.tif 000011
【図１０】
2010135275.tif 000012
【図１１】
2010135275.tif 000013
【図１２】
2010135275.tif 000014